【手続補正書】
【提出日】平成16年12月27日(2004.12.27)
【手続補正１】
【補正対象書類名】明細書
【補正対象項目名】特許請求の範囲
【補正方法】変更
【補正の内容】
【特許請求の範囲】
【請求項１】
オーディオソースのアナログ出力部にそれぞれが接続可能な複数のアナログ入力部と、オーディオソースのディジタル出力部にそれぞれが接続可能な1又は複数のディジタル入力部とを有する入力接続手段と、
少なくとも、前記複数のアナログ入力部のうちの１つを指定可能なソース指定部を有する操作手段と、
前記アナログ入力部に入力されるアナログ信号のうち１つを択一的に選択して出力可能なアナログ信号選択手段と、
前記ディジタル入力部に入力されるディジタル信号のうち１つを択一的に選択して出力可能なディジタル信号選択手段と、
前記ディジタル入力部と前記アナログ入力部とを個別に対応させたデータを記憶するテーブルを有し、前記ソース指定部で指定した前記アナログ入力部に入力するアナログ信号を選択するよう前記アナログ信号選択手段を制御すると共に、前記ソース指定部で指定した前記アナログ入力部に対応する前記ディジタル入力部が設定されている場合、該ディジタル入力部に入力するディジタル信号を選択するよう前記ディジタル信号選択手段を制御する制御手段と
を有することを特徴とするオーディオ入力切替装置。
【請求項２】
前記ディジタル入力部の数は、前記アナログ入力部の数よりも少ないことを特徴とする請求項１記載のオーディオ入力切替装置。
【請求項３】
更に、前記アナログ信号選択手段から出力されるアナログ信号をＡ／Ｄ変換したアナログ入力系ディジタル信号と前記ディジタル信号選択手段から出力されるディジタル入力系ディジタル信号とのどちらか一方を選択して出力する信号選択手段を有することを特徴とする請求項１又は２記載のオーディオ入力切替装置。
【請求項４】
前記ディジタル信号選択手段は、前記各ディジタル入力部にディジタル信号が入力しているか否かを検出してこの検出情報を含むディジタル信号入力情報を前記制御手段に出力することを特徴とする請求項３記載のオーディオ入力切替装置。
【請求項５】
前記制御手段は、前記アナログ信号選択手段と前記ディジタル信号選択手段とが、対応する前記アナログ入力部と前記ディジタル入力部とにそれぞれ入力したアナログ信号とディジタル信号とを各々出力しているとき、前記信号選択手段が前記ディジタル入力系ディジタル信号を優先して選択するよう制御することを特徴とする請求項４記載のオーディオ入力切替装置。
【請求項６】
前記制御手段は表示部を有し、前記ディジタル信号入力が入力していることが検出された前記ディジタル入力部に対し、前記テーブルにおいて対応するアナログ入力部が設定されていない場合、この状態を前記表示部に表示することを特徴とする請求項４記載のオーディオ入力切替装置。
【請求項７】
前記制御手段は前記テーブルの記憶内容を表示する表示部を有し、前記操作手段の操作によって前記テーブルの記憶内容を変更可能としたことを特徴とする請求項１又は２記載のオーディオ入力切替装置。
【請求項８】
オーディオソースのアナログ出力部にそれぞれが接続可能な複数のアナログ入力部に入力するアナログ信号と、オーディオソースのディジタル出力部にそれぞれが接続可能な1又は複数のディジタル入力部に入力するディジタル信号との何れかを選択するオーディオ入力切替方法であって、
前記複数のアナログ入力部のうちの１つを指定するステップと、
該ステップで指定されたアナログ入力部に入力するアナログ信号を選択するステップと、
前記ディジタル入力部と前記アナログ入力部とを個別に対応させたデータを記憶するテーブルに基づいて、前記指定されたアナログ入力部に対応する前記ディジタル入力部が設定されている場合、該ディジタル入力部に入力するディジタル信号を選択するステップと
を有することを特徴とするオーディオ入力切替方法。
【手続補正２】
【補正対象書類名】明細書
【補正対象項目名】００１１
【補正方法】変更
【補正の内容】
【００１１】
【課題を解決するための手段】
請求項１のオーディオ入力切替装置は、
オーディオソースのアナログ出力部にそれぞれが接続可能な複数のアナログ入力部と、オーディオソースのディジタル出力部にそれぞれが接続可能な1又は複数のディジタル入力部とを有する入力接続手段と、少なくとも、前記複数のアナログ入力部のうちの１つを指定可能なソース指定部を有する操作手段と、前記アナログ入力部に入力されるアナログ信号のうち１つを択一的に選択して出力可能なアナログ信号選択手段と、前記ディジタル入力部に入力されるディジタル信号のうち１つを択一的に選択して出力可能なディジタル信号選択手段と、前記ディジタル入力部と前記アナログ入力部とを個別に対応させたデータを記憶するテーブルを有し、前記ソース指定部で指定した前記アナログ入力部に入力するアナログ信号を選択するよう前記アナログ信号選択手段を制御すると共に、前記ソース指定部で指定した前記アナログ入力部に対応する前記ディジタル入力部が設定されている場合、該ディジタル入力部に入力するディジタル信号を選択するよう前記ディジタル信号選択手段を制御する制御手段と
を有することを特徴とする。
【手続補正３】
【補正対象書類名】明細書
【補正対象項目名】００１２
【補正方法】変更
【補正の内容】
【００１２】
請求項２のオーディオ入力切替装置は、請求項１記載のオーディオ入力切替装置において、前記ディジタル入力部の数は、前記アナログ入力部の数よりも少ないことを特徴とする。
また、請求項３のオーディオ入力切替装置は、請求項１又は２記載のオーディオ入力切替装置において、
更に、前記アナログ信号選択手段から出力されるアナログ信号をＡ／Ｄ変換したアナログ入力系ディジタル信号と前記ディジタル信号選択手段から出力されるディジタル入力系ディジタル信号とのどちらか一方を選択して出力する信号選択手段を有することを特徴とする。
【手続補正４】
【補正対象書類名】明細書
【補正対象項目名】００１３
【補正方法】変更
【補正の内容】
【００１３】
請求項４のオーディオ入力切替装置は、請求項３記載のオーディオ入力切替装置において、
前記ディジタル信号選択手段が、前記各ディジタル入力部にディジタル信号が入力しているか否かを検出してこの検出情報を含むディジタル信号入力情報を前記制御手段に出力することを特徴とする。
【手続補正５】
【補正対象書類名】明細書
【補正対象項目名】００１４
【補正方法】変更
【補正の内容】
【００１４】
請求項５のオーディオ入力切替装置は、請求項４記載のオーディオ入力切替装置において、
前記制御手段が、前記アナログ信号選択手段と前記ディジタル信号選択手段とが、対応する前記アナログ入力部と前記ディジタル入力部とにそれぞれ入力したアナログ信号とディジタル信号とを各々出力しているとき、前記ディジタル入力系ディジタル信号を優先して選択するように、前記信号選択手段を制御することを特徴とする。
【手続補正６】
【補正対象書類名】明細書
【補正対象項目名】００１５
【補正方法】変更
【補正の内容】
【００１５】
請求項６のオーディオ入力切替装置は、請求項４記載のオーディオ入力切替装置において、
前記制御手段が表示部を有し、前記ディジタル信号が入力していることが検出された前記ディジタル入力部に対し、前記テーブルにおいて対応するアナログ入力部が設定されていない場合、この状態を前記表示部に表示することを特徴とする。
また、請求項７のオーディオ入力切替装置は、請求項１又は２記載のオーディオ入力切替装置において、
前記制御手段が前記テーブルの記憶内容を表示する表示部を有し、前記操作手段の操作によって前記テーブルの記憶内容を変更可能としたことを特徴とする。
【手続補正７】
【補正対象書類名】明細書
【補正対象項目名】００１６
【補正方法】変更
【補正の内容】
【００１６】
請求項８のオーディオ入力切替方法は、
オーディオソースのアナログ出力部にそれぞれが接続可能な複数のアナログ入力部に入力するアナログ信号と、オーディオソースのディジタル出力部にそれぞれが接続可能な1又は複数のディジタル入力部に入力するディジタル信号との何れかを選択するオーディオ入力切替方法であって、
前記複数のアナログ入力部のうちの１つを指定するステップと、該ステップで指定されたアナログ入力部に入力するアナログ信号を選択するステップと、前記ディジタル入力部と前記アナログ入力部とを個別に対応させたデータを記憶するテーブルに基づいて、前記指定されたアナログ入力部に対応する前記ディジタル入力部が設定されている場合、該ディジタル入力部に入力するディジタル信号を選択するステップと
を有することを特徴とする。
【手続補正８】
【補正対象書類名】明細書
【補正対象項目名】００４７
【補正方法】変更
【補正の内容】
【００４７】
【発明の効果】
請求項１，２，３及び８のオーディオ入力切替装置によれば、限られた数のディジタル入力をアナログ入力に対して対応させ、入力するアナログとディジタルの各オーディオ信号を処理することが可能となるため、ディジタル入力の数を無闇に増やすことなく、ディジタル入力を無駄なく効果的に利用することができる。
【手続補正９】
【補正対象書類名】明細書
【補正対象項目名】００４８
【補正方法】変更
【補正の内容】
【００４８】
請求項４，５のオーディオ入力切替装置によれば、１つのオーディオソースからアナログとディジタルによる同内容のオーディオ信号を入力する場合、自動的に音質の優れたディジタル入力信号を優先的に選択するため、ユーザによる選択操作数を減らすことができ、操作の煩雑を避けることができる。また、ディジタル入力に信号が入力されていない状態では、これを検出し、アナログ入力信号を選択することができるため、オーディオソースが再生ソフトによってアナログ信号のみを出力する場合があっても対応できる。
【手続補正１０】
【補正対象書類名】明細書
【補正対象項目名】００４９
【補正方法】変更
【補正の内容】
【００４９】
請求項４，６のオーディオ入力切替装置によれば、所望のオーディオソースに接続したディジタル入力を、そのオーディオソースのアナログ信号を入力するアナログ入力に対応させる設定を忘れた場合にも、このミスを検出して接続を促すことが可能なため、ユーザの設定忘れミスを防ぐことができる。
【手続補正１１】
【補正対象書類名】明細書
【補正対象項目名】００５０
【補正方法】変更
【補正の内容】
【００５０】
請求項７のオーディオ入力切替装置によれば、請求項１の効果に加え、ディジタル入力とアナログ入力の対応を自由に設定できるため、オーディオソースとの接続において、その自由度を増すことができる。